(57)【要約】  【課題】ＰＴＴ通話を行う各携帯電話機に、通話相手の画像を表示させることのできるＰＴＴシステムを提供する。  【解決手段】ＡＳ４０には、予め、通話開始要求携帯電話機のＰＴＴコールＩＤと通話開始要求携帯電話機のユーザの画像が登録されている。また、通話開始要求携帯電話機は、ＰＴＴ電話帳に着信側携帯電話機のユーザの画像を記録しており、当該画像を表示する（ステップＳ３７）。ＡＳ４０は、通話開始要求携帯電話機と着信側携帯電話機との接続を確立した後、通話開始要求携帯電話機のＰＴＴコールＩＤと対応付けて記憶されている画像を検索する（ステップＳ４０）。そして、検出した画像を着信側携帯電話機に送信する（ステップＳ４１）。着信側携帯電話機はこれを受信して表示する（ステップＳ４２）。  【選択図】  図１０
2006019944.tif 000002
【特許請求の範囲】
【請求項１】
プッシュトゥトーク機能を備えた複数の携帯電話機と、これらの携帯電話機間のプッシュトゥトーク通話を仲介するサーバとを含むＰＴＴシステムであって、
前記サーバは、
携帯電話機のユーザに対応する画像と当該携帯電話機の識別情報とを対応付けて記憶する記憶手段と、
携帯電話機間のプッシュトゥトーク通話を仲介する際に、これらの携帯電話機の識別情報と対応付けて記憶されている画像を検索する検索手段と、
前記検索手段により検出された携帯電話機の識別情報と対応付けて記憶されている画像を、他の携帯電話機に送信する送信手段とを備え、
前記携帯電話機は、
前記サーバから送信された画像を受信して表示する表示手段を備える
ことを特徴とするＰＴＴシステム。
【請求項２】
前記プッシュトゥトーク通話は、グループに属する複数の携帯電話機間で行うグループ通話であって、
前記記憶手段は、前記グループを示すグループ識別情報と、当該グループに属する各携帯電話機のユーザに対応する画像と、各携帯電話機の識別情報とを対応付けて記憶し、
前記検索手段は、前記グループ識別情報が示すグループ内のグループ通話を仲介する際に、当該グループ内でグループ通話を行う各携帯電話機の識別情報と対応付けられている画像を検索する
ことを特徴とする請求項１記載のＰＴＴシステム。
【請求項３】
前記サーバは、送話を行う携帯電話機を決定するＰＴＴ仲介処理手段を備え、
前記送信手段は、前記グループ内のグループ通話の仲介において、前記ＰＴＴ仲介処理手段の決定によって送話を行う携帯電話機が替わる毎に、送話を行う携帯電話機を示す識別情報を当該グループ内でグループ通話を行っている各携帯電話機に送信し、
前記表示手段は、前記グループ内の２以上の通話相手の画像を表示している際に、前記サーバから送信された送話中の携帯電話機を示す識別情報が、自機以外の他機を示すものであれば、当該識別情報に基づいて、送話中の通話相手の画像の表示態様を、送話していない通話相手の画像の表示態様と異ならせて表示する
ことを特徴とする請求項２記載のＰＴＴシステム。
【請求項４】
前記表示手段は、前記グループ内の２以上の通話相手の画像を表示している際に、前記サーバから送信された送話中の携帯電話機を示す識別情報が他機を示すものであれば、当該識別情報に基づいて、送話中の通話相手の画像の表示領域サイズを、送話していない通話相手の画像の表示領域サイズより大きくして表示する
ことを特徴とする請求項３記載のＰＴＴシステム。
【請求項５】
前記携帯電話機は、
自機のユーザを示す画像と自機の識別情報の登録要求、及び通話相手を示す画像と通話相手の携帯電話機の識別情報の登録要求を前記サーバに送信する登録要求送信手段を備える
ことを特徴とする請求項１記載のＰＴＴシステム。
【請求項６】
プッシュトゥトーク機能を備えた携帯電話機であって、
プッシュトゥトーク通話を行う際に、プッシュトゥトーク通話を仲介するサーバから、通話相手の画像を受信する受信手段と、
受信した画像を表示する表示手段とを備える
ことを特徴とする携帯電話機。
【請求項７】
前記プッシュトゥトーク通話は、グループに属する複数の携帯電話機間で行うグループ通話であって、
前記受信手段は、更に、グループ通話中に前記サーバから、送話を行う携帯電話機を示す識別情報を受信し、
前記表示手段は、前記グループ内の２以上の通話相手の画像を表示している際に、前記サーバから送信された送話中の携帯電話機を示す識別情報が、自機以外の他機を示すものであれば、当該識別情報に基づいて、送話中の通話相手の画像の表示態様を、送話していない通話相手の画像の表示態様と異ならせて表示する、
ことを特徴とする請求項６記載の携帯電話機。
【請求項８】
自機のユーザを示す画像と自機の識別情報の登録要求、及び通話相手を示す画像と通話相手の携帯電話機の識別情報の登録要求を前記サーバに送信する送信手段を備えることを特徴とする請求項６記載の携帯電話機。
【請求項９】
プッシュトゥトーク機能を備えた複数の携帯電話機間のプッシュトゥトーク通話を仲介するサーバであって、
携帯電話機のユーザに対応する画像と、当該携帯電話機の識別情報とを対応付けて記憶する記憶手段と、
携帯電話機間のプッシュトゥトーク通話を仲介する際に、これらの携帯電話機の識別情報と対応付けて記憶されている画像を検索する検索手段と、
前記検索手段により検出された携帯電話機の識別情報と対応付けて記憶されている画像を、他の携帯電話機に送信する送信手段とを備える
ことを特徴とするサーバ。
【発明の詳細な説明】
【技術分野】
【０００１】
本発明は、プッシュトゥトーク（Ｐｕｓｈ  Ｔｏ  Ｔａｌｋ：以下、ＰＴＴと呼ぶ）システムに関し、特にＰＴＴ通話を行う各携帯電話機に表示させる通話相手に関する情報の表示技術に関する。
【背景技術】
【０００２】
現在北米において、ＶｏＩＰ（Ｖｏｉｃｅ  ｏｖｅｒ  Ｉｎｔｅｒｎｅｔ  Ｐｒｏｔｏｃｏｌ）技術を利用した通話機能であるＰＴＴ機能を備えた携帯電話機が普及している。
下記の特許文献１には、ＰＴＴ機能を備えた無線電話機及びＰＴＴシステムが開示されている。
ここで、簡単にＰＴＴについて説明する。
【０００３】
ＰＴＴ機能を備えた携帯電話機でＰＴＴ通話を行う場合、まず、ＰＴＴ通話を仲介するサーバにログインする。次に、通話相手である同じくＰＴＴ機能を備えた携帯電話機を、ＰＴＴ用の識別情報（以下、「ＰＴＴコールＩＤ」という。）で指定する。
指定したＰＴＴコールＩＤの携帯電話機が、サーバにログインしている状態、すなわち応答可能な状態であれば、自己の携帯電話機に備わるＰＴＴ送話用のボタン（以下、「ＰＴＴボタン」という。）を押すことで、指定した携帯電話機への送話が可能となり、また、ＰＴＴボタンを離すことで、指定した携帯電話機から送られてくる通話相手の送話を聞くことができる。
【０００４】
また、ＰＴＴ機能を備えた携帯電話機は、ＰＴＴの通話相手についての諸情報（以下、「通話相手情報」という。）を記録し、閲覧することのできるデータベースであるＰＴＴ電話帳を保持している。
ＰＴＴ電話帳には、通話相手情報として、通話相手の名前等を示すコンタクト名、ＰＴＴコールＩＤを記録することができ、ＰＴＴ電話帳の閲覧時、ＰＴＴ着信時及びＰＴＴ通話中に、通話相手情報を携帯電話機に表示させることができる。
【特許文献１】特許公表２００２−５３６９２８号公報
【発明の開示】
【発明が解決しようとする課題】
【０００５】
ところで、従来のＰＴＴ電話帳に記録することのできる通話相手情報は、文字情報のみだったので、ＰＴＴ電話帳の閲覧時、ＰＴＴ着信時及びＰＴＴ通話中に携帯電話機に表示された通話相手情報を、ユーザが視認したとしても、通話相手を容易に識別することができないことが考えられる。
例えば、ＰＴＴ着信時に、着信側の携帯電話機の表示部に通話相手の情報として「サトウ」というコンタクト名が表示されたとしても、当該携帯電話機のユーザが知っている「サトウ」と呼ばれている人が複数いる場合、どの「サトウ」なのかが識別しにくいことが考えられる。
【０００６】
そこで本発明は、通話相手の識別を容易にするべく、ＰＴＴ通話を行う各携帯電話機に通話相手の画像を表示できるようにしたＰＴＴシステム及び当該システムに関する諸技術を提供することを目的とする。
【課題を解決するための手段】
【０００７】
上記目的を達成する本発明に係るＰＴＴシステムは、プッシュトゥトーク機能を備えた複数の携帯電話機と、これらの携帯電話機間のプッシュトゥトーク通話を仲介するサーバとを含むＰＴＴシステムであって、前記サーバは、携帯電話機のユーザに対応する画像と当該携帯電話機の識別情報とを対応付けて記憶する記憶手段と、携帯電話機間のプッシュトゥトーク通話を仲介する際に、これらの携帯電話機の識別情報と対応付けて記憶されている画像を検索する検索手段と、前記検索手段により検出された携帯電話機の識別情報と対応付けて記憶されている画像を、他の携帯電話機に送信する送信手段とを備え、前記携帯電話機は、前記サーバから送信された画像を受信して表示する表示手段を備えることを特徴とする。
【０００８】
また、前記携帯電話機は、自機のユーザを示す画像と自機の識別情報の登録要求、及び通話相手を示す画像と通話相手の携帯電話機の識別情報の登録要求を前記サーバに送信する登録要求送信手段を備えるとしてもよい。
また、上記目的を達成する本発明に係る携帯電話機は、プッシュトゥトーク機能を備えた携帯電話機であって、プッシュトゥトーク通話を行う際に、プッシュトゥトーク通話を仲介するサーバから、通話相手の画像を受信する受信手段と、受信した画像を表示する表示手段とを備えることを特徴とする。
【０００９】
また、前記携帯電話機は、自機のユーザを示す画像と自機の識別情報の登録要求、及び通話相手を示す画像と通話相手の携帯電話機の識別情報の登録要求を前記サーバに送信する送信手段を備えるとしてもよい。
また、上記目的を達成する本発明に係るサーバは、プッシュトゥトーク機能を備えた複数の携帯電話機間のプッシュトゥトーク通話を仲介するサーバであって、携帯電話機のユーザに対応する画像と、当該携帯電話機の識別情報とを対応付けて記憶する記憶手段と、携帯電話機間のプッシュトゥトーク通話を仲介する際に、これらの携帯電話機の識別情報と対応付けて記憶されている画像を検索する検索手段と、前記検索手段により検出された携帯電話機の識別情報と対応付けて記憶されている画像を、他の携帯電話機に送信する送信手段とを備えることを特徴とする。
【発明の効果】
【００１０】
上記構成のサーバは、前記検索手段により検出された、ＰＴＴ通話を行う携帯電話機の識別情報と対応付けて記憶されている画像を、他の携帯電話機に送信し、上記構成の携帯電話機はサーバから受信した通話相手の画像を表示するので、当該携帯電話機のユーザは表示された通話相手の画像を見ることで、通話相手を容易に識別することができる。
また、サーバから通話相手の画像が送信されるので、通話相手の画像を予め携帯電話機のＰＴＴ電話帳等に記録しておかなくても、通話相手の画像を表示することができる。
【００１１】
また、前記プッシュトゥトーク通話は、グループに属する複数の携帯電話機間で行うグループ通話であって、前記記憶手段は、前記グループを示すグループ識別情報と、当該グループに属する各携帯電話機のユーザに対応する画像と、各携帯電話機の識別情報とを対応付けて記憶し、前記検索手段は、前記グループ識別情報が示すグループ内のグループ通話を仲介する際に、当該グループ内でグループ通話を行う各携帯電話機の識別情報と対応付けられている画像を検索するとしてもよい。
【００１２】
この構成により、グループ通話を行う各携帯電話機は、それぞれの通話相手の画像を受信して表示することができるので、各携帯電話機のユーザは表示された通話相手の画像を見ることで、通話相手を容易に識別することができる。
また、前記サーバは、送話を行う携帯電話機を決定するＰＴＴ仲介処理手段を備え、前記送信手段は、前記グループ内のグループ通話の仲介において、前記ＰＴＴ仲介処理手段の決定によって送話を行う携帯電話機が替わる毎に、送話を行う携帯電話機を示す識別情報を当該グループ内でグループ通話を行っている各携帯電話機に送信し、前記表示手段は、前記グループ内の２以上の通話相手の画像を表示している際に、前記サーバから送信された送話中の携帯電話機を示す識別情報が、自機以外の他機を示すものであれば、当該識別情報に基づいて、送話中の通話相手の画像の表示態様を、送話していない通話相手の画像の表示態様と異ならせて表示するとしてもよいし、前記表示手段は、前記グループ内の２以上の通話相手の画像を表示している際に、前記サーバから送信された送話中の携帯電話機を示す識別情報が他機を示すものであれば、当該識別情報に基づいて、送話中の通話相手の画像の表示領域サイズを、送話していない通話相手の画像の表示領域サイズより大きくして表示するとしてもよい。
【００１３】
これにより、グループ通話を行う各携帯電話機は、現在送話中のユーザを容易に識別することができる。
【発明を実施するための最良の形態】
【００１４】
以下、本発明の一実施形態について、図面を用いて説明する。
＜１．ＰＴＴシステム＞
図１は、ＰＴＴシステムの構成を示す図である。
ＰＴＴシステム５０は、ネットワーク１０、複数の携帯電話機１〜８、基地局１１〜１３、エッジサーバ（Ｅｄｇｅ  Ｓｅｒｖｅｒ、以下「ＥＳ」という。）２１〜２３、パソコン（Ｐｅｒｓｏｎａｌ  Ｃｏｍｐｕｔｅｒ、以下「ＰＣ」という。）３０、アプリケーションサーバ（Ａｐｐｌｉｃａｔｉｏｎ  Ｓｅｒｖｅｒ、以下、「ＡＳ」という。）４０から構成される。
【００１５】
なお、携帯電話機１〜８、基地局１１〜１３、ＥＳ２１〜２３、ＰＣ３０、ＡＳ４０は、それぞれ、同図に示す数に限定されるものではなく、例えば、携帯電話機は、数千から数万台存在していてもよい。
基地局１１〜１３は、それぞれ所定のエリアを管轄しており、エリア内に存在する携帯電話機と無線接続する。
【００１６】
ＥＳ２１〜２３は、各基地局１１〜１３と対応して設けられており（例えば、基地局１１に対してＥＳ２１が設けられている。）、対応する基地局の管轄エリア内の携帯電話機が、モバイルＩＰアドレスの割り当て要求をしてくると、当該携帯電話機にモバイルＩＰアドレスを割り当てる。
携帯電話機１〜８はいずれもＰＴＴ機能を備えた携帯電話機であって、電源がＯＮ状態で、且つＰＴＴ機能がＯＮ状態に設定されていれば、各々が位置するエリアを管轄する基地局１１〜１３と無線接続した際に、それぞれの基地局１１〜１３と対応して設けられているＥＳ２１〜２３に対して、モバイルＩＰアドレスの割り当て要求を行う。例えば、携帯電話機１〜３は、基地局１１と無線接続した際に、ＥＳ２１に対してモバイルＩＰアドレスの割り当て要求を行う。
【００１７】
ＥＳからモバイルＩＰアドレスが割り当てられた携帯電話機は、Ｓｅｓｓｉｏｎ  Ｉｎｉｔｉａｔｉｏｎ  Ｐｒｏｔｏｃｏｌ（以下、「ＳＩＰ」という。）で、自機が位置するエリアを管轄する基地局及びネットワーク１０を介してＡＳ４０にログイン要求を行う。
ＰＣ３０は、ＡＳ４０にアクセスして、ＰＴＴ電話帳の記録及び更新を行うことができる。
【００１８】
ＡＳ４０は、携帯電話機間のＰＴＴ通話を仲介するサーバであり、ＳＩＰでログイン要求を送信してきた携帯電話機の管理、各携帯電話機のＰＴＴ電話帳の同期管理、ログインした携帯電話機のユーザを示す画像の登録要求を受け付けるユーザ画像登録受付処理、携帯電話機間のＰＴＴ通話の仲介処理等を行う。
＜２．ＡＳ４０＞
ここで、ＡＳ４０の機能構成について図２を用いて説明する。
【００１９】
ＡＳ４０は、インターフェース部４１、携帯電話機管理部４２、ユーザ情報記憶部４３、ＰＴＴ電話帳同期管理部４４、ＰＴＴ電話帳記憶部４５、ＰＴＴ仲介処理部４６、音声データ記憶部４７及び画像検索部４８を備える。
インターフェース部４１は、ネットワーク１０に接続されている外部機器と通信を行う機能部である。
【００２０】
携帯電話機管理部４２は、ＡＳ４０にログイン要求を送信してきた携帯電話機を管理する機能部である。携帯電話機は、ログイン要求のときに自機の識別情報であるＰＴＴコールＩＤを送信しているので、携帯電話機管理部４２は、ログイン要求を認めた携帯電話機のＰＴＴコールＩＤをユーザ情報記憶部４３に記憶して管理している。
また、携帯電話機管理部４２は、携帯電話機及びＰＣ３０からアップロードされた携帯電話機のユーザの画像も管理しており、ユーザの画像は、携帯電話機のＰＴＴコールＩＤと対応付けてユーザ情報記憶部４３に記憶される。なお、ユーザの画像のアップロードには、ｈｔｔｐ（ＨｙｐｅｒＴｅｘｔ  Ｔｒａｎｓｆｅｒ  Ｐｒｏｔｏｃｏｌ）が用いられる。
【００２１】
ＰＴＴ電話帳同期管理部４４は、ログイン要求を認めた携帯電話機との間で、ＰＴＴ電話帳の同期管理をする機能部である。
ここでいう同期管理とは、ＡＳ４０と携帯電話機の双方において同じＰＴＴ電話帳をニ重に管理することをいい、一方のＰＴＴ電話帳に更新があれば、他方も同様に更新するといったことを行う。
【００２２】
例えば、携帯電話機１のＰＴＴ電話帳に新たな通話相手情報が記録されると、携帯電話機１は、当該ＰＴＴ電話帳のバージョン情報を書き換えて、ＡＳ４０にアップロードする。
携帯電話機１からＡＳ４０にアップロードされたＰＴＴ電話帳は、ＰＴＴ電話帳同期管理部４４によってそのバージョン情報が確認され、携帯電話機１の古いバージョン情報のＰＴＴ電話帳がＰＴＴ電話帳記憶部４５に記憶されていれば、これを上書きして、新しいバージョン情報のＰＴＴ電話帳を記憶する。
【００２３】
また、ＰＣ３０からＡＳ４０に携帯電話機１用のＰＴＴ電話帳がアップロードされた場合、ＡＳ４０は、当該ＰＴＴ電話帳がアップロードされたことを携帯電話機１に通知し、通知を受けた携帯電話機１は、当該ＰＴＴ電話帳をＡＳ４０からダウンロードして、携帯電話機１に記憶されているＰＴＴ電話帳の更新を行う。
ダウンロードが完了すると携帯電話機１は、ＡＳ４０にダウンロードが完了した旨を示す情報を送信する。
【００２４】
なんらかの理由でダウンロードが失敗した場合、携帯電話機１から、ＡＳ４０に対してダウンロードが完了した旨を示す情報が送信されないので、ＡＳ４０は、再度、携帯電話機１に対してダウンロードの要請を通知する。
このダウンロードの再要請は、携帯電話機１がＡＳ４０にログインしたタイミング、或いは、携帯電話機１がモバイルＩＰアドレスを割り当てられたタイミングで行う。
【００２５】
なお、ＰＴＴ電話帳のアップロード及びダウンロードには、ｈｔｔｐが用いられ、実際にアップロード及びダウンロードされる情報は、更新された部分のみである。
ＰＴＴ電話帳には、通話相手情報として、通話相手の名前等を示すコンタクト名、ＰＴＴコールＩＤ及び通話相手を示す画像を記録することができる。
ＰＴＴ仲介処理部４６は、携帯電話機間のＰＴＴ通話の仲介処理を行う機能部である。
【００２６】
ＰＴＴ仲介処理部４６は、まず、ＰＴＴ通話の開始要求を携帯電話機（以下、「通話開始要求携帯電話機」という。）から受け付けて、この通話開始要求携帯電話機が指定する携帯電話機との通信確立を行う。指定された携帯電話機から応答があると、通話開始要求携帯電話機及び応答した携帯電話機（以下、「着信側携帯電話機」という。）に接続状況情報を送信し、続いて、後述する画像検索部４８により検出された画像を着信側携帯電話機に送信する。
【００２７】
その後、送話要求しているいずれか１つの携帯電話機に送話権を与える処理と、ＰＴＴボタンが押下されていない携帯電話機への音声データの送信処理を行う。
着信側携帯電話機への画像送信及びＰＴＴ通話中の音声データの送受信には、ＲＴＰ（Ｒｅａｌ−ｔｉｍｅ  Ｔｒａｎｓｐｏｒｔ  Ｐｒｏｔｏｃｏｌ）が用いられ、送話権が付与された携帯電話機から送られてきた音声データは、一旦音声データ記憶部４７に記憶されて、ＰＴＴボタンが押下されていない携帯電話機へ送信される。
【００２８】
ＰＴＴ通話には、１対１通話とグループ通話の２種類あり、１対１通話は、文字通り、２つの携帯電話機間で行われる通話である。一方、グループ通話は、予めＰＴＴ電話帳に記録されているグループに属する複数の携帯電話機間で行われる通話である。
１対１通話の場合、通話開始要求携帯電話機のＰＴＴコールＩＤと着信側携帯電話機のＰＴＴコールＩＤに基づいて、ＰＴＴ通話の仲介を行う。
【００２９】
一方、グループ通話の仲介処理の場合、グループ通話のアクセス先として設定したＵＲＩ（Ｕｎｉｆｏｒｍ  Ｒｅｓｏｕｒｃｅ  Ｉｄｅｎｔｉｆｉｅｒ）を、通話開始要求携帯電話機及び着信側携帯電話機に対して送信する。
ＡＳ４０からＵＲＩを受信した通話開始要求携帯電話機及び着信側携帯電話機は、そのＵＲＩをアクセス先としてグループ通話を行う。
【００３０】
画像検索部４８は、ユーザ情報記憶部４３或いはＰＴＴ電話帳記憶部４５にＰＴＴコールＩＤと対応付けて記憶されている、着信側携帯電話機に送信する通話相手の画像を検索する機能を有する。
検索する画像は、１対１通話の場合、通話開始要求携帯電話機のＰＴＴコールＩＤと対応付けて記憶されている画像であり、グループ通話の場合、通話開始要求携帯電話機のＰＴＴコールＩＤと対応付けて記憶されている画像と、指定されたグループ情報が示すグループに属する各携帯電話機のＰＴＴコールＩＤと対応付けて記憶されている各画像である。
【００３１】
画像検索部４８によって検出された画像はＰＴＴ仲介処理部４６に送られ、ＰＴＴ仲介処理部４６は、送られてきた画像を、着信側携帯電話機に送信する。
なお、グループ通話の場合、各着信側携帯電話機に送信する画像は、検出された画像のうち、各着信側携帯電話機にとって通話相手となる他機のＰＴＴコールＩＤと対応付けて記憶されている画像である。
＜３．携帯電話機＞
次に、ＰＴＴ機能を備えた携帯電話機の構成について説明する。
【００３２】
図３は、ＰＴＴ機能を備えた携帯電話機１の外観の一例を示す図であり、図４は、ＰＴＴ機能を備えた携帯電話機１の機能ブロック図である。図３及び図４において、同じ機能部については同じ符号を付している。
図３及び図４に示すように携帯電話機１は、スピーカ部１０１、マイク部１０２、操作部１０３（ＰＴＴボタン１０３Ａを含む）、表示部１０４、アンテナ１０５、通信部１０６、制御部１０７及び記憶部１０８を備える。なお、図１に示した携帯電話機２〜８も同様の機能を備える。
【００３３】
スピーカ部１０１は、制御部１０７から伝送されてきた音声信号や、着信時に制御部１０７の制御に従って数種類の音色とメロディーパターンから成る着信音を出力する機能を有する。
マイク部１０２は、音声を収集して電気信号として受け付けて制御部１０７に伝送する機能を有する。
【００３４】
操作部１０３は、一般的な携帯電話機に備わる０から９までのテンキーボタンや、オンフックボタン、オフフックボタン等の各種機能ボタンの他、図３に示すＰＴＴボタン１０３Ａを有し、各種ボタンが押下されることによってユーザから各種指示を受け付ける。
表示部１０４は、制御部１０７の制御に従って、待ち受け画面、ユーザ画像登録画面、ＰＴＴ電話帳の登録及び表示画面等を表示する機能を有する。
【００３５】
アンテナ１０５は、一般的な携帯電話機に備わるアンテナと同様であり、音声やデータ等を搬送する搬送波の送受を行う。受信した搬送波信号は、通信部１０６に送られる。
通信部１０６は、アンテナ１０５が受信した搬送波信号及び制御部１０７から伝送されてきた音声等の圧縮信号に対して、変復調処理、増幅処理、Ａ／Ｄ及びＤ／Ａ変換処理といった、送受信に係る一連の処理を行う機能部であり、一般的な携帯電話機に備わる機能と同様である。
【００３６】
制御部１０７は、マイクロプロセッサ、ＤＳＰ（Ｄｉｇｉｔａｌ  Ｓｉｇｎａｌ  Ｐｒｏｃｅｓｓｏｒ）等によって構成されており、記憶部１０８に記憶されている各種プログラムに従って各機能部の制御を行う。例えば、ＰＴＴ制御では、ＰＴＴ機能がＯＮ状態に設定されている場合、電源が入ると直ちに基地局と無線接続を行い、当該基地局と対応して設けられているＥＳに対して、モバイルＩＰアドレスの割り当て要求を行う。また、後述するユーザ画像の登録処理、ＰＴＴ電話帳の登録処理、受信した通話相手の画像を表示する表示処理等を行う。
【００３７】
記憶部１０８は、各種プログラムの他に、後述するＰＴＴ電話帳、携帯電話機のユーザを示す画像等を記憶している。
＜４．ＰＴＴ電話帳＞
ここで、ＰＴＴ電話帳について説明する。
図５は、携帯電話機とＡＳ４０との間で同期管理されているＰＴＴ電話帳を示した図である。
【００３８】
ＰＴＴ電話帳５０１は、個別の通話相手情報が記録されている１対１通話用ＰＴＴ電話帳５０１Ａと、複数の通話相手情報が１のグループに属するものとして対応付けて記録されているグループ通話用ＰＴＴ電話帳５０１Ｂの２種類ある。
ＰＴＴ電話帳５０１Ａは、個々の通話相手の通話相手情報のデータベースであり、ＰＴＴ電話帳５０１Ｂは、グループ名、及びグループに属する各通話相手の通話相手情報から構成されるグループ情報のデータベースである。
【００３９】
ＰＴＴ電話帳５０１に記録される通話相手情報は、コンタクト名、ＰＴＴコールＩＤ及び通話相手を示す画像で構成されている。
コンタクト名は、ユーザが通話相手を認識し易くするための識別情報であり、通話相手の名前やニックネーム等をユーザが決めて用いることができる。但し、使用できる文字や文字数に制限がある。
【００４０】
ＰＴＴコールＩＤは、通話相手情報として入力しなければならない必須情報であり、通話相手の携帯電話機の識別情報である。
画像は、通話相手を示す画像であり、画像の登録はユーザの任意である。画像のデータサイズには制限がある。
ＡＳ４０のＰＴＴ電話帳同期管理部４４は、ログインしている各携帯電話機とＰＴＴ電話帳を同期管理しており、ＰＴＴ電話帳記憶部４５には、ログインしている各携帯電話機のＰＴＴ電話帳（ＰＴＴ電話帳５０２、５０３等）が記憶されている。
【００４１】
なお、通話相手情報は、携帯電話機やＰＣにおいて、ユーザが入力することで作成される。
＜５．動作＞
次に、携帯電話機１とＡＳ４０の動作について説明する。
＜５．１  ユーザ画像登録処理＞
図６は、携帯電話機１のユーザ画像登録処理のフローチャートを示す図である。
【００４２】
まず、携帯電話機１が、ユーザからユーザ画像登録画面の表示指示を受け付けると、制御部１０７は、表示部１０４にユーザ画像登録画面を表示させる（ステップＳ１）。
表示されたユーザ画像登録画面において、ユーザから、記憶部１０８に記憶されているユーザ自身を示す画像の選択を受け付けると、制御部１０７は、当該画像の画像サイズをチェックする（ステップＳ２）。
【００４３】
選択された画像の画像サイズが規定を満たすものであれば（ステップＳ３：ＹＥＳ）、携帯電話機１は当該画像をサーバ４０にアップロードし（ステップＳ４）、アップロード終了後、処理を終了する。なお、画像をアップロードする際に、携帯電話機のＰＴＴコールＩＤもアップロードする。
選択された画像の画像サイズが規定を満たすものでなければ（ステップＳ３：ＮＯ）、携帯電話機１は表示部１０４にエラーメッセージを表示させる（ステップＳ５）。その後、ステップＳ１に戻る。
【００４４】
なお、画像のアップロードは、ＡＳ４０へのログイン時に同時に行ってもよく、また、ユーザから選択された画像のファイル名が、前回ログイン時にアップロードした画像のファイル名と異なる場合にのみ、アップロードするとしてもよい。更に、画像を選択しないでアップロードすることで、現在登録されている画像を削除することもできる。
画像のアップロードは、携帯電話機からだけでなく、例えば、ＰＣ３０から行うこともできる。この場合、画像と共に、当該画像と対応付けて記録するＰＴＴコールＩＤを一緒にアップロードする。
＜５．２  ユーザ画像登録受付処理＞
図７は、ＡＳ４０のユーザ画像登録受付処理のフローチャートを示す図である。
【００４５】
ＡＳ４０は、携帯電話機又はＰＣ３０から、ユーザを示す画像とＰＴＴコールＩＤのアップロードを受け付けると（ステップＳ６）、受け付けたユーザ画像とＰＴＴコールＩＤを対応付けて記憶する（ステップＳ７）。
＜５．３  ＰＴＴ電話帳登録処理＞
図８は、携帯電話機１のＰＴＴ電話帳登録処理のフローチャートを示す図である。
【００４６】
まず、携帯電話機１が、ユーザからＰＴＴ電話帳の登録画面の表示指示を受け付けると、制御部１０７は、表示部１０４にＰＴＴ電話帳登録画面を表示させる（ステップＳ１１）。
表示されたＰＴＴ電話帳登録画面において、ユーザから、コンタクト名、ＰＴＴコールＩＤの入力、通話相手を示す画像の選択を受け付けると（ステップＳ１２）、制御部１０７は、コンタクト名の文字数、画像の画像サイズをチェックする（ステップＳ１３）。
【００４７】
入力されたコンタクト名の文字数及び選択された画像の画像サイズが規定を満たすものであれば（ステップＳ１４：ＹＥＳ）、携帯電話機１はＰＴＴ電話帳のアップロードを行う（ステップＳ１５）。アップロード終了後、処理を終了する。
入力されたコンタクト名の文字数及び選択された画像の画像サイズが規定を満たすものでなければ（ステップＳ１４：ＮＯ）、制御部１０７は表示部１０４にエラーメッセージを表示させる（ステップＳ１６）。その後、ステップＳ１１に戻る。
＜５．４  ＰＴＴ電話帳更新処理＞
図９は、ＡＳ４０のＰＴＴ電話帳更新処理のフローチャートを示す図である。
【００４８】
携帯電話機の識別情報と共にＰＴＴ電話帳のアップロードを受け付けると（ステップＳ２１）、ＰＴＴ電話帳記憶部４５に当該識別情報と対応付けて記憶されているＰＴＴ電話帳があるか否かを確認し、当該識別情報と対応付けて記憶されているＰＴＴ電話帳がある場合、当該ＰＴＴ電話帳のバージョン情報をチェックして、更新を行う（ステップＳ２２）。
【００４９】
次に、ＰＴＴ電話帳のアップロードが、ＰＣからのアップロードである場合（ステップＳ２３：ＹＥＳ）、更新したＰＴＴ電話帳を保持している携帯電話機に、更新があったことを通知する（ステップＳ２４）。
更新通知を受けた携帯電話機は、ＰＴＴ電話帳のダウンロード要求をＡＳ４０に送信してくるので、これを受け付けたＡＳ４０は（ステップＳ２５）、ダウンロード要求を送信してきた携帯電話機にＰＴＴ電話帳をダウンロードする（ステップＳ２６）。ダウンロード終了後、処理を終了する。
＜５．５  １対１ＰＴＴ通話＞
次に、図１０のフローチャート図を用いて、１対１のＰＴＴ通話開始時における通話開始要求携帯電話機、着信側携帯電話機、ＡＳ４０の動作を説明する。
【００５０】
なお、通話開始要求携帯電話機、着信側携帯電話機はいずれもＡＳ４０にログイン済みである。
まず、１対１のＰＴＴ通話の開始を行うべく、通話開始要求携帯電話機が、通話相手である着信側携帯電話機の指定を行うと（ステップＳ３１）、通話開始要求携帯電話機からＳＩＰで、当該携帯電話機のＰＴＴコールＩＤ及び着信側携帯電話機のＰＴＴコールＩＤがＡＳ４０に送信される。
【００５１】
これを受け付けたＡＳ４０は（ステップＳ３２）、ＳＩＰで着信側携帯電話機にＰＴＴ通話の開始要求があったことを示すＩＮＶＩＴＥ情報を送信する（ステップＳ３３）。
ＩＮＶＩＴＥ情報を受信した着信側携帯電話機は（ステップＳ３４）、これに応答する（ステップＳ３５）。
この応答を受信したＡＳ４０は、通話開始要求携帯電話機及び着信側携帯電話機に、接続が確立した旨を示す接続状況情報を送信する（ステップＳ３６）。
【００５２】
通話開始要求携帯電話機は、ＰＴＴ通話の接続が確立するまでは、表示画面に着信側携帯電話機の通話相手情報であるコンタクト名、ＰＴＴコールＩＤ、画像の表示を行うと共に、「呼び出し中」という表示を行う（ステップＳ３７）。そして、ＡＳ４０から接続状況情報を受信すると、「呼び出し中」という表示から「接続」という表示に切り替える（ステップＳ３８）。
【００５３】
一方、着信側携帯電話機は、ＡＳ４０から接続状況情報を受信すると、表示部に「接続」という表示を行う（ステップＳ３９）。
ＡＳ４０は、接続状況情報を送信した後、続いて、通話開始要求携帯電話機のＰＴＴコールＩＤを検索キーとして、当該ＰＴＴコールＩＤと対応付けて記憶されている画像の検索を行う（ステップＳ４０）。
【００５４】
検出された画像は、通話開始要求携帯電話機のコンタクト名及びＰＴＴコールＩＤと共に着信側携帯電話機に送信される（ステップＳ４１）。
通話開始要求携帯電話機のコンタクト名、ＰＴＴコールＩＤ及び画像を受信した着信側携帯電話機は、これらを表示部に表示する（ステップＳ４２）。
＜５．５．１  通話開始要求携帯電話機の表示画面＞
ここで、１対１のＰＴＴ通話の開始要求を行う通話開始要求携帯電話機の表示部に表示される表示画面について図を用いて説明する。
【００５５】
図１１は、ユーザから表示指示を受け付けることにより通話開始要求携帯電話機の表示部に表示される電話帳の選択メニュー画面の一例を示す図である。
メニュー画面１１００には、電話帳（通常電話帳）、１対１通話用ＰＴＴ電話帳、グループ通話用ＰＴＴ電話帳の３つの選択項目が表示される。
表示された選択項目の中からいずれかの電話帳の選択をユーザから受け付けることにより、選択された電話帳に記録されている各通話相手情報が一覧表示される。
【００５６】
メニュー画面１１００に表示された選択項目の中から、１対１通話用ＰＴＴ電話帳が選択された場合、図１２に示すように通話開始要求携帯電話機の１対１通話用ＰＴＴ電話帳に記録されている各通話相手情報が一覧表示される。
一覧表示画面１２００には、１対１通話用ＰＴＴ電話帳に記録されている各通話相手のコンタクト名、ＰＴＴコールＩＤ及び顔写真が、一覧表示される。
【００５７】
図１３は、図１２に示す一覧表示画面１２００の中から「一郎」が通話相手として指定された場合に、通話開始要求携帯電話機に表示される表示画面を示す図である。
画面１３０１は、「一郎」が通話相手として指定された直後の表示画面である。画面１３０１には、現在の通話状況を示す通話状況情報１３０２、指定した通話相手である「一郎」の顔写真１３０３、コンタクト名１３０４、ＰＴＴコールＩＤ１３０５が表示される。
【００５８】
通話相手の指定後、ＡＳ４０から接続状況情報を受信すると、画面１３０２に示すように通話状況情報１３０７を、「呼び出し中」から「接続」に切り替える。
＜５．５．２  着信側携帯電話機の表示画面＞
次に、１対１のＰＴＴ着信を受けた着信側携帯電話機の表示部に表示される着信画面について説明する。
【００５９】
着信側携帯電話機は、ＡＳ４０から通話開始要求携帯電話機のコンタクト名、ＰＴＴコールＩＤ及び画像を受信し、これらを表示部に表示する。
図１４は、着信側携帯電話機の表示部に表示された着信画面の一例である。
同図に示すように、着信画面１４００には、通話開始要求携帯電話機のユーザのコンタクト名、ＰＴＴコールＩＤ及び顔写真が表示される。
【００６０】
これにより、着信側携帯電話機のユーザは、表示された通話相手の顔写真を見ることで、通話相手を容易に識別することができる。
＜５．６  グループ通話＞
次に、図１５のフローチャート図を用いて、グループ通話における通話開始要求携帯電話機、着信側携帯電話機、ＡＳ４０の動作を説明する。
【００６１】
なお、通話開始要求携帯電話機、着信側携帯電話機はいずれもＡＳ４０にログイン済みである。また、着信側携帯電話機は、複数存在することを想定するが、その動作は共通しているので、１の着信側携帯電話機の動作についてのみ説明する。
まず、グループ通話の開始を行うべく、通話開始要求携帯電話機が、グループの指定を行うと（ステップＳ５１）、通話開始要求携帯電話機からＳＩＰで、当該携帯電話機のＰＴＴコールＩＤ及び指定されたグループを示すグループ名がＡＳ４０に送信される。
【００６２】
これを受け付けたＡＳ４０は（ステップＳ５２）、同期管理によってＰＴＴ電話帳記憶部４５に記憶されている通話開始要求携帯電話機のＰＴＴ電話帳から、指定グループに属する各携帯電話機を特定し、ＳＩＰでＰＴＴ通話の開始要求があったことを示すＩＮＶＩＴＥ情報を特定した各携帯電話機に送信する（ステップＳ５３）。
ＩＮＶＩＴＥ情報を受信した携帯電話機、すなわち、着信側携帯電話機は（ステップＳ５４）、これに応答する（ステップＳ５５）。
【００６３】
なお、指定グループに属する携帯電話機のうち、なんらかの理由、例えば、無線受信ができない環境（トンネルや、地下）にある、或いは電池が足りない等の理由でログアウトしたものは、ＩＮＶＩＴＥ情報を受信できないので、当然、応答することもできない。
よって、ＡＳ４０は、応答のなかった携帯電話機は、グループ通話に参加できないものとして除外し、通話開始要求携帯電話機と、ＩＮＶＩＴＥ情報に応答した着信側携帯電話機にのみ、グループ通話可能な各携帯電話機のＰＴＴコールＩＤを含む接続状況情報を送信する（ステップＳ５６）。
【００６４】
通話開始要求携帯電話機は、グループ通話の接続が確立するまでは、表示画面に指定したグループに属する各携帯電話機の通話相手の画像と、「呼び出し中」という接続状況表示を行う（ステップＳ５７）。そして、ＡＳ４０から接続状況情報を受信すると、「接続」という表示に切り替える。また、グループに属する各携帯電話機のうち応答のなかった携帯電話機がある場合、接続状況情報に当該携帯電話機のＰＴＴコールＩＤが含まれていないので、当該ＰＴＴコールＩＤに基づいて、該当の通話相手の画像表示を取り消す。（ステップＳ５８）。
【００６５】
一方、各着信側携帯電話機は、ＡＳ４０から接続が確立した旨を示す接続状況情報を受信すると、「接続」という文字を表示する（ステップＳ５９）。
ＡＳ４０は、接続状況情報を送信した後、続いて、通話開始要求携帯電話機のＰＴＴコールＩＤ及び着信側携帯電話機のＰＴＴコールＩＤを検索キーとして、これらのＰＴＴコールＩＤと対応付けて記憶されている画像の検索を行う（ステップＳ６０）。
【００６６】
検出された画像は、各着信側携帯電話機に送信される（ステップＳ６１）。なお、送信される画像は、送信する着信側携帯電話機のＰＴＴコールＩＤと対応付けられている画像以外の画像、すなわち、通話相手の画像である。
ＡＳ４０から送信された画像を受信した着信側携帯電話機は、当該画像を表示部に表示する（ステップＳ６２）。
＜５．６．１  通話開始要求携帯電話機の表示画面＞
ここで、グループ通話の開始要求を行う通話開始要求携帯電話機の表示部に表示される表示画面について図を用いて説明する。
【００６７】
上述した図１１に示す電話帳の選択メニュー画面において、グループ通話用ＰＴＴ電話帳が選択された場合、図１６に示すように通話開始要求携帯電話機のグループ通話用ＰＴＴ電話帳に記録されている各グループ名が一覧表示される。
図１７は、図１６に示す一覧表示画面１６００の中から「高校仲間」が指定された場合に、通話開始要求携帯電話機に表示される表示画面を示す図である。
【００６８】
画面１７０１は、「高校仲間」が指定された直後の表示画面であり、画面１７０１には、通話状況情報１７０２、指定したグループに属する各携帯電話機のユーザの顔写真１７０３、１７０４、１７０５、グループ名１７０６が表示される。
その後、ＡＳ４０から接続状況情報を受信すると、通話開始要求携帯電話機は、画面１７０７に示すように、通話状況情報１７０８を、「呼び出し中」から「接続」に切り替え、応答のなかったユーザの顔写真１７０９の表示を取り下げる。
＜５．６．２  着信側携帯電話機の表示画面＞
次に、グループ通話の着信を受けた着信側携帯電話機の表示部に表示される着信画面について説明する。
【００６９】
着信側携帯電話機は、ＡＳ４０から通話相手の画像を受信し、これらを表示部に表示する。
図１８は、着信側携帯電話機の表示部に表示された着信画面の一例である。
同図に示すように、着信側携帯電話機に表示された画面１８０１には、通話状況情報１８０２、通話開始要求携帯電話機のユーザの顔写真１８０３、ＩＮＶＩＴＥ情報に応答した着信側携帯電話機のユーザの顔写真１８０４、グループ名１８０５が表示される。
【００７０】
ここで、通話開始要求携帯電話機のユーザが送話を行うべく携帯電話機に備わるＰＴＴボタンを押下した場合、ＡＳ４０は、通話開始要求携帯電話機に送話権を付与すると共に、グループ通話を行う各携帯電話機に、送話権を付与した通話開始要求携帯電話機のＰＴＴコールＩＤを送信する。
これを受信した携帯電話機は、画面１８０６に示すように、通話開始要求携帯電話機のユーザの顔写真１８０８の表示サイズを、他の通話相手の顔写真の表示サイズより大きく表示する処理を行う。また、通話開始要求携帯電話機のユーザからの送話を受話する側になるので、通話状況情報１８０７を、「接続」から「受話中」に切り替える。
【００７１】
これにより、着信側携帯電話機のユーザは、表示された画像を見ることで、通話相手を容易に識別することができ、また、現在の送話者を容易に識別することができる。
＜補足＞
なお、本発明は上記実施形態に限定されないのはもちろんである。以下のような場合も本発明に含まれる。
（１）上記実施形態において、ＡＳ４０は、着信側携帯電話機の通話相手の画像のみを検索して、各着信側携帯電話機に送信していたが、通話開始要求携帯電話機のＰＴＴ電話帳に通話相手の画像が登録されていない場合、ＡＳ４０は、その通話相手の画像を検索して、通話開始要求携帯電話機に送信してもよい。
【００７２】
例えば、通話開始要求携帯電話機は、ＰＴＴ電話帳に画像が登録されていない通話相手の指定をユーザから受けた場合、その通話相手の画像を要求する情報をＡＳ４０に送信し、当該情報を受けたＡＳ４０は、その通話相手の画像を検索して、通話開始要求携帯電話機に送信することが考えられる。
また、着信側携帯電話機が、ＡＳ４０から接続状況情報を受信した際に、当該接続状況情報に含まれる通話相手のＰＴＴコールＩＤから、着信側携帯電話機のＰＴＴ電話帳にその通話相手の画像が登録されていることが判明した場合、着信側携帯電話機は、ＡＳ４０に対して、該当の通話相手の画像が不要である旨を示す情報を送信し、これを受信したＡＳ４０は、その通話相手の画像の検索を行わないとしてもよい。
（２）上記実施形態においてグループ通話中、送話している通話相手の画像を大きく表示させていたが、それ以外に、送話している通話相手の画像を太枠表示したり、点滅させたりしてもよい。他の通話相手の画像の表示態様と異ならせることで、送話している通話相手の画像を目立たせる効果のある表示方法であれば、どのような表示態様であってもよい。
（３）実施形態では、ＰＴＴ電話帳に通話相手の画像が登録できるようにしていたが、ＰＴＴ電話帳に通話相手の画像の登録ができない場合でも本発明は成立する。但し、この場合、各携帯電話機は、ＡＳ４０に必ずユーザ画像登録を行うものとし、ＡＳ４０は、登録されているユーザ画像の中からＰＴＴ通話を行う各携帯電話機の通話相手の画像検索を行う。
（４）上記実施形態において説明した処理ステップ（図６〜図１０、図１５に示したステップ等）を、プログラム実行機能を有するＰＴＴ機能付き携帯電話機及びＡＳに実行させるためのプログラムを、記録媒体に記録し又は各種通信路等を介して、流通させ頒布することができる。
【００７３】
かかる記録媒体には、ＩＣカード、光ディスク、フレキシブルディスク、ＲＯＭ等がある。流通、頒布されたプログラムは、プログラム実行機能を有するＰＴＴ機能付き携帯電話機及びＡＳにインストールされることにより利用に供され、そのＰＴＴ機能付き携帯電話機及びＡＳは、そのプログラムを実行することにより、上記実施形態に示した機能を実現する。
【産業上の利用可能性】
【００７４】
本発明は、ＰＴＴシステム、ＰＴＴ通話を仲介するサーバ、ＰＴＴ機能を備えた携帯電話機として実現することで大変有用である。
【図面の簡単な説明】
【００７５】
【図１】ＰＴＴシステムの構成を示す図である。
【図２】ＡＳ４０の機能構成を示す図である。
【図３】ＰＴＴ機能を備えた携帯電話機の外観の一例を示す図である。
【図４】ＰＴＴ機能を備えた携帯電話機の機能構成図である。
【図５】ＰＴＴ電話帳のデータ内容を示した図である。
【図６】ユーザ画像登録処理のフローチャートを示す図である。
【図７】ユーザ画像登録受付処理のフローチャートを示す図である。
【図８】ＰＴＴ電話帳登録処理のフローチャートを示す図である。
【図９】ＰＴＴ電話帳更新処理のフローチャートを示す図である。
【図１０】１対１ＰＴＴ通話の動作を説明するためのフローチャート図である。
【図１１】電話帳の選択メニュー画面の一例を示す図である。
【図１２】通話相手情報の一覧表示の一例である。
【図１３】１対１のＰＴＴ通話時に通話開始要求携帯電話機に表示される表示画面の一例を示す図である。
【図１４】１対１のＰＴＴ通話時に着信側携帯電話機に表示される着信画面の一例を示す図である。
【図１５】グループ通話の動作を説明するためのフローチャート図である。
【図１６】グループ名の一覧表示の一例である。
【図１７】グループ通話時に通話開始要求携帯電話機に表示される表示画面の一例を示す図である
【図１８】グループ通話時に着信側携帯電話機に表示される着信画面の一例を示す図である。
【符号の説明】
【００７６】
１〜８        携帯電話機
１０          ネットワーク
１１〜１３    基地局
２１〜２３    ＥＳ
３０          ＰＣ
４０          ＡＳ
４１          インターフェース部
４２          携帯電話機管理部
４３          ユーザ情報記憶部
４４          ＰＴＴ電話帳同期管理部
４５          ＰＴＴ電話帳記憶部
４６          ＰＴＴ仲介処理部
４７          音声データ記憶部
４８          画像検索部
１０１        スピーカ部
１０２        マイク部
１０３        操作部
１０３Ａ      ＰＴＴボタン
１０４        表示部
１０５        アンテナ
１０６        通信部
１０７        制御部
１０８        記憶部
【図１】
2006019944.tif 000003
【図２】
2006019944.tif 000004
【図３】
2006019944.tif 000005
【図４】
2006019944.tif 000006
【図５】
2006019944.tif 000007
【図６】
2006019944.tif 000008
【図７】
2006019944.tif 000009
【図８】
2006019944.tif 000010
【図９】
2006019944.tif 000011
【図１０】
2006019944.tif 000012
【図１１】
2006019944.tif 000013
【図１２】
2006019944.tif 000014
【図１３】
2006019944.tif 000015
【図１４】
2006019944.tif 000016
【図１５】
2006019944.tif 000017
【図１６】
2006019944.tif 000018
【図１７】
2006019944.tif 000019
【図１８】
2006019944.tif 000020